(57)【要約】  【課題】特に夜間等の自動販売機の周囲が暗い場合に、購入者がカップを取り出す動作時において、カップを取り損ねることがなく、手指の火傷等の危険を防止することができるカップ式自動販売機を提供する。  【解決手段】購入者が取出口扉３を開けてカップ１が取り出されたら、カップ検知センサー５ａによってカップ１が無いことを検知し、取出口扉３を閉じると取出口扉スイッチ４で取出口扉３が閉じたことを検知して、照明灯６を消灯し、取出口ロック機構８にて取出口扉３をロックする。【選択図】図１
2008293067.tif 000002
【特許請求の範囲】
【請求項１】
カップを取出すための取出口と、前記取出口に回動自在に設けられた取出口扉と、前記取出口扉の開閉を検知するための取出口扉スイッチと、前記カップを載せるためのカップステージに前記カップの有り無しを検知するカップ検知センサーと、前記取出口を照明する照明灯と、前記取出口扉をロックするための取出口ロック機構を備えたカップ式自動販売機において、前記照明灯は前記カップ検知センサーによって前記カップが取り出されことを検知し、その後に前記取出口扉スイッチによって前記取出口扉が閉じたことを検知することに連動して消灯することを特徴とするカップ式自動販売機。
【請求項２】
前記照明灯は商品選択ボタンを操作後から飲料生成工程が完了するまで前記取出口を点灯または点滅させたことを特徴とする請求項１に記載のカップ式自動販売機。
【請求項３】
前記取出口扉スイッチによる前記取出口扉の開放検知と同時に時間をカウントするタイマーを備え、前記取出口扉が開いてから一定時間経過した場合に前記照明灯を消灯することを特徴とする請求項１または２に記載のカップ式自動販売機。
【請求項４】
販売待機状態は前記照明灯を点滅動作させることを特徴とする請求項１から３のいずれか一項に記載のカップ式自動販売機。
【発明の詳細な説明】
【技術分野】
【０００１】
本発明は、照明装置に関するものであり、特に自動販売機に搭載するのに適した照明装置に関するものである。
【背景技術】
【０００２】
従来、この種の照明装置は自動販売機の商品取出口に設けられた飲料生成完了とほぼ同時に取出口内部を照明する証明装置がある（例えば、特許文献１参照）。
【０００３】
図５は、特許文献１に記載された従来の自動販売機の要部構成図である。図５に示すように、飲料容器となるカップ１と、カップ１を取出すための取出口２と、取出口２の前に回動自在に設けられ、透明またはスモーク系の有色で光透過性の素材である取出口扉３と、取出口扉３の開閉を検知するための取出口扉スイッチ４と、カップ１を載せるためのカップステージ５と、カップ１及びカップステージ５を照明する照明灯６から構成される。
【０００４】
以上のように、構成された照明装置について、以下その動作を説明する。
【０００５】
カップ１がカップステージ５に供給され、ホットまたはコールドの飲料がカップ１に注がれると、カップ１を取り出せる準備が完了したと判断し、照明灯６を点灯させる。そして、購入者が取出口扉３を開けると取出口扉スイッチ４にて取出口扉３が開いたことを検知して照明灯６を消灯させる。
【特許文献１】特開平９−５４８７６号公報
【発明の開示】
【発明が解決しようとする課題】
【０００６】
しかしながら、上記従来の構成では、特に夜間等の自動販売機の周囲が暗い場合に、購入者が取出口扉３を開けた時点で照明灯６を消灯してしまうために、カップ１を取り出す動作時において取り損ねる等によって、手指の火傷等の危険を防止することができないという課題を有していた。
【０００７】
本発明は、従来の課題を解決するもので、カップ１の取り出し時における便益及び危険防止を図ることのできるカップ式自動販売機の照明装置を提供することを目的とする。
【課題を解決するための手段】
【０００８】
上記従来の課題を解決するために、本発明のカップ式自動販売機の照明装置は、購入者が取出口扉を開けてカップが取り出されたら、カップ検知センサーによって前記カップが無いことを検知し、前記取出口扉を閉じると前記取出口扉スイッチで前記取出口扉が閉じたことを検知して、照明灯を消灯し、取出口ロック機構にて前記取出口扉をロックする。
【発明の効果】
【０００９】
本発明のカップ式自動販売機の照明装置は、カップが取り出されことを検知し、かつ取出口扉が閉じたことを検知してから照明灯を消灯することで、夜間に自動販売機の周囲が暗くなっている場合でも、カップを取り出す動作時に照明灯が消えて暗くならないため、カップを取り損ねることがなく、手指の火傷等の危険を防止することが可能となる。
【発明を実施するための最良の形態】
【００１０】
請求項１に記載の発明は、カップを取出すための取出口と、前記取出口に回動自在に設けられた取出口扉と、前記取出口扉の開閉を検知するための取出口扉スイッチと、前記カップを載せるためのカップステージに前記カップの有り無しを検知するカップ検知センサーと、前記取出口を照明する照明灯と、前記取出口扉をロックするための取出口ロック機構を備えたカップ式自動販売機において、前記照明灯は前記カップ検知センサーによって前記カップが取り出されことを検知し、その後に前記取出口扉スイッチによって前記取出口扉が閉じたことを検知することに連動して消灯するものであり、夜間に自動販売機の周囲が暗くなっている場合でも、カップを取り出す動作時に前記照明灯が消えて暗くならないため、カップを取り損ねることがなく、手指の火傷等の危険を防止することが可能となる。
【００１１】
請求項２に記載の発明は、請求項１に記載の発明に、さらに、前記照明灯は商品選択ボタンを操作後から飲料生成工程が完了するまで前記取出口を点灯または点滅させたものであり、飲料生成工程が確認できるために、自動販売機が正常に動作していることを購入者に認知させて安心感を与えることが可能となる。
【００１２】
請求項３に記載の発明は、請求項１または２に記載の発明に、さらに、前記取出口扉スイッチによる前記取出口扉の開放検知と同時に時間をカウントするタイマーを備え、前記取出口扉が開いてから一定時間経過した場合に前記照明灯を消灯するものであり、消費電力の無駄な消費を防止したり、購入者に不安感を抱かせたりすることを防止することが可能となる。
【００１３】
請求項４に記載の発明は、請求項１から３のいずれか一項に記載の発明に、さらに、販売待機状態は前記照明灯を点滅動作させるものであり、夜間に自動販売機の周囲が暗くなっている場合でも購入者に対して飲料の購入を促すことが可能となる。
【００１４】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１５】
（実施の形態１）
図１は、本発明の実施の形態１によるカップ式自動販売機の照明装置の構成図である。
【００１６】
図１において、飲料容器となるカップ１と、カップ１を取出すための取出口２と、取出口２の前に回動自在に設けられ、透明またはスモーク系の有色で光透過性の素材である取出口扉３と、取出口扉３の開閉を検知するための取出口扉スイッチ４と、カップ１を載せるためのカップステージ５と、カップステージ５に構成されカップ１の有り無しを検知するカップ検知センサー５ａと、カップ１及びカップステージ５を照明する照明灯６と、飲料を生成させるためにカップステージ５を搬送させるカップ搬送機構７と、取出口扉３をロックするための取出口ロック機構８から構成される。
【００１７】
以上のように構成されたカップ式自動販売機の照明装置について、以下その動作を説明する。
【００１８】
カップ１がカップステージ５に供給され、カップ検知センサー５ａによってカップ１があることを検知し、ホットまたはコールドの飲料がカップ１に注がれると、カップ１を取り出せる準備が完了したと判断し、照明灯６を点灯させる。そして、購入者が取出口扉３を開けてカップ１が取り出されたら、カップ検知センサー５ａによってカップ１が無いことを検知し、取出口扉３を閉じると取出口扉スイッチ４で取出口扉３が閉じたことを検知して、照明灯６を消灯し、取出口ロック機構８にて取出口扉３をロックする。
【００１９】
以上のように、本実施の形態においては、カップ１が取り出されことを検知し、かつ取出口扉３が閉じたことを検知してから照明灯６を消灯することで、夜間に自動販売機の周囲が暗くなっている場合でも、カップ１を取り出す動作時に照明灯６が消えて暗くならないため、カップ１を取り損ねることがなく、手指の火傷等の危険を防止することが可能となる。
【００２０】
（実施の形態２）
図２は、本発明の実施の形態２によるカップ式自動販売機の照明装置の動作を示すフローチャートである。
【００２１】
本実施の形態は、実施の形態１によるカップ式自動販売機の照明装置に、さらに、新たな制御を設けたものである。
【００２２】
以上のように構成されたカップ式自動販売機の照明装置について、以下その動作を説明する。
【００２３】
ＳＴＥＰ１で選択ボタン（図示せず）を押されたかどうか判断して、選択ボタン（図示せず）が押された場合にはＳＴＥＰ２で照明灯６を一定時間間隔で点滅動作させる。そして、ＳＴＥＰ３で飲料生成工程が完了し、カップ１が取り出せる状態になったかどうか判断して、完了した場合にはＳＴＥＰ４で照明灯６を点滅させる。そして、ＳＴＥＰ５でカップ１が無いことを判断して、カップ１が取り出された場合にはＳＴＥＰ６にて取出口扉３が閉じているかどうか判断する。そして、取出口扉３が閉じた場合には、ＳＴＥＰ７にて照明灯６を消灯する。
【００２４】
以上のように、本実施の形態においては、選択ボタン（図示せず）を押してから飲料生成工程が完了してカップ１が取り出せる状態になるまでの間に、照明灯６を点滅させることで、飲料生成工程が確認できるために、自動販売機が正常に動作していることを購入者に認知させて安心感を与えることが可能となる。
【００２５】
また、本実施の形態においては、選択ボタン（図示せず）を押してから飲料生成工程が完了し、カップ１が取り出せる状態になる間に照明灯６を点滅させているが、これは庫内が飲料生成で汚れた場合に購入者に汚れが見えて不信感を抱くことがないようにするためであり、汚れ等の付着がない場合には、照明灯６を点灯させておくことも可能である。
【００２６】
（実施の形態３）
図３は、本発明の実施の形態３によるカップ式自動販売機の照明装置の動作を示すフローチャートである。
【００２７】
本実施の形態は、実施の形態１によるカップ式自動販売機の照明装置に、さらに、新たな制御を設けたものである。
【００２８】
以上のように構成されたカップ式自動販売機の照明装置について、以下その動作を説明する。
【００２９】
ＳＴＥＰ１からＳＴＥＰ５においては実施の形態２と同様であり、ＳＴＥＰ６において取出口扉３が閉じているかどうか判断して、取出口扉３が閉じている場合にはＳＴＥＰ７にて照明灯６を消灯する。しかし、取出口扉３が閉じていない場合にはＳＴＥＰ８にて取出口扉３が開いてからカウントするタイマーによって時間をカウントし、一定時間経過したと判断されれば、ＳＴＥＰ７にて照明灯６を消灯する。
【００３０】
以上のように、本実施の形態においては、取出口扉スイッチ４自体が故障したり、取出口扉スイッチ４の検知不良が発生した場合に照明灯６が点灯し続けることで、消費電力を無駄に消費したり、購入者に不安感を抱かせたりしてしまうが、取出口扉３が閉じてから一定時間経過した場合に照明灯６を消灯することで、消費電力の無駄な消費を防止したり、購入者に不安感を抱かせたりすることを防止することが可能となる。
【００３１】
（実施の形態４）
図４は、本発明の実施の形態４によるカップ式自動販売機の照明装置の動作を示すフローチャートである。
【００３２】
本実施の形態は、実施の形態１によるカップ式自動販売機の照明装置に、さらに、新たな制御を設けたものである。
【００３３】
以上のように構成されたカップ式自動販売機の照明装置について、以下その動作を説明する。
【００３４】
ＳＴＥＰ１からＳＴＥＰ８においては実施の形態３と同様であり、ＳＴＥＰ７において照明灯６を消灯した後、ＳＴＥＰ９にて一定時間が経過したかどうかを判断して、一定時間が経過した場合には、ＳＴＥＰ１０にて照明灯６を一定時間間隔で点滅動作させる。そして、ＳＴＥＰ１１にて購入者が飲料を購入するためにコインを投入したかどうかを判断して、コインが投入された場合には、ＳＴＥＰ１２において照明灯６を消灯し、販売動作に移行する。
【００３５】
以上にように、本実施の形態においては、自動販売機が販売待機状態（客待ち状態）となった場合に、照明灯６が点滅動作することによって夜間に自動販売機の周囲が暗くなっている場合でも購入者に対して飲料の購入を促すことが可能となる。
【産業上の利用可能性】
【００３６】
以上のように、本発明にかかるカップ式自動販売機の照明装置は、カップが取り出されことを検知し、かつ取出口扉が閉じたことを検知してから照明灯を消灯することで、夜間に自動販売機の周囲が暗くなっている場合でも、カップを取り出す動作時に照明灯が消えて暗くならないため、カップを取り損ねることがなく、手指の火傷等の危険を防止することが可能となるので、自動販売機だけでなく、照明機能を求められる照明装置を搭載した商品に適用できる。
【図面の簡単な説明】
【００３７】
【図１】本発明の実施の形態１によるカップ式自動販売機の照明装置の構成図
【図２】本発明の実施の形態２によるカップ式自動販売機の照明装置のフローチャート
【図３】本発明の実施の形態３によるカップ式自動販売機の照明装置のフローチャート
【図４】本発明の実施の形態４によるカップ式自動販売機の照明装置のフローチャート
【図５】従来の自動販売機の要部構成図
【符号の説明】
【００３８】
１    カップ
２    取出口
３    取出口扉
４    取出口扉スイッチ
５    カップステージ
５ａ  カップ検知センサー
６    照明灯
７    カップ搬送機構
８    取出口ロック機構
【図１】
2008293067.tif 000003
【図４】
2008293067.tif 000004
【図５】
2008293067.tif 000005
【図２】
2008293067.tif 000006
【図３】
2008293067.tif 000007